(57)【要約】【課題】データ再生に支障をきたすことなく、ネットワークを介する操作に基づく設定等を容易にする。【解決手段】ネットワークを介する操作により設定および動作の管理を行うネットワーク操作管理部（Ｃ−ＣＰＵ２１）と、データ再生に関する設定および動作を管理するデータ再生管理部（Ｍ−ＣＰＵ２２）とを有し、Ｃ−ＣＰＵ２１に対しネットワークを介する操作に基づくアクセスが可能であり、当該アクセスにデータ再生指示が含まれるときは、Ｃ−ＣＰＵ２１がＭ−ＣＰＵ２２にデータ再生に関する管理を指示する。【選択図】図１
2007104100.tif 000002
【特許請求の範囲】
【請求項１】
映像表示部と、
ネットワーク接続端子と、
映像を含むデータを供給するデータ供給部と、
前記ネットワーク接続端子に接続され、ネットワークを介する操作により設定および動作の管理を行うネットワーク操作管理部と、
前記ネットワーク接続端子および前記ネットワーク操作管理部に接続され、前記データ供給部からデータを出力して行うデータ再生に関する設定および動作を管理するデータ再生管理部と、
を有し、
前記ネットワーク操作管理部に対しネットワークを介する操作に基づくアクセスが可能であり、当該アクセスにデータ再生指示が含まれるときは、前記ネットワーク操作管理部が前記データ再生管理部にデータ再生に関する管理を指示する
映像表示装置。
【請求項２】
前記ネットワークを介する操作に基づいて表示される設定および動作に関する管理画面が記憶されている管理記憶部が前記ネットワーク操作管理部に接続され、
前記管理記憶部に記憶されている管理画面が階層化され、当該管理画面内で前記ネットワークを介して操作可能な画面に前記データ再生に関する項目を含む
請求項１に記載の映像表示装置。
【請求項３】
操作部と、
前記操作部からの操作を入力し、前記映像表示部の設定および動作を制御するディスプレイ制御部と、
をさらに有し、
前記ネットワーク操作管理部に対し前記操作部の操作に基づくアクセスが可能であり、当該アクセスにデータ再生指示が含まれるときは、前記ネットワーク操作管理部は前記データ再生管理部にデータ再生に関する管理を指示する
請求項１に記載の映像表示装置。
【請求項４】
前記ネットワークを介する操作に基づいて表示される設定および動作に関する管理画面が記憶されている管理記憶部が前記ネットワーク操作管理部に接続され、
前記管理記憶部に記憶されている管理画面が階層化され、当該管理画面内で前記ネットワークを介して操作可能な画面に前記データ再生に関する項目を含み、
前記管理記憶部に記憶されている管理画面は、前記ネットワークを介する操作に基づく場合のほか、前記操作部の操作に基づく場合にも前記ディスプレイ制御部を介して映像表示部に表示可能である
請求項３に記載の映像表示装置。
【請求項５】
前記映像表示部の電源オン時に前記ネットワーク操作管理部および前記データ再生管理部に電源を供給し、前記映像表示部の電源オフ時に前記ネットワーク管理部に待機電源を供給する電源部を、
さらに有する請求項１に記載の映像表示装置。
【請求項６】
前記ネットワーク接続前記映像表示部を備える装置本体と、
当該装置本体に着脱可能な機能追加デバイスと、を有し、
前記ネットワーク接続端子、前記データ供給部、前記ネットワーク操作管理部および前記データ再生管理部が前記機能追加デバイスに設けられている
請求項１に記載の映像表示装置。
【請求項７】
前記映像を含むデータを格納しているストレージメディアが前記データ供給部に対し着脱可能になっている
請求項１または６に記載の映像表示装置。
【請求項８】
映像表示部を備える映像表示装置に着脱可能に設けられる機能追加デバイスであって、
ネットワーク接続端子と、
映像を含むデータを供給するデータ供給部と、
前記ネットワーク接続端子に接続され、ネットワークを介する操作により設定および動作の管理を行うネットワーク操作管理部と、
前記ネットワーク接続端子および前記ネットワーク操作管理部に接続され、前記データ供給部からデータを出力して行うデータ再生に関する設定および動作を管理するデータ再生管理部と、
を有し、
前記ネットワーク操作管理部に対しネットワークを介する操作に基づくアクセスが可能であり、当該アクセスにデータ再生指示が含まれるときは、前記ネットワーク操作管理部は前記データ再生管理部にデータ再生に関する管理を指示する
機能追加デバイス。
【請求項９】
前記ネットワークを介する操作時に前記映像表示部に表示させるための設定および動作に関する管理画面が記憶されている管理記憶部が前記ネットワーク操作管理部に接続され、
前記管理記憶部に記憶されている管理画面が階層化され、当該管理画面内で前記ネットワークを介して操作可能な画面に前記データ再生に関する項目を含む
請求項８に記載の機能追加デバイス。
【請求項１０】
前記映像を含むデータを格納しているストレージメディアが前記データ供給部に対し着脱可能になっている
請求項８に記載の機能追加デバイス。
【請求項１１】
複数の映像表示装置と、当該複数の映像表示装置を、ネットワークを介して遠隔操作する処理装置とを備える映像表示システムであって、
前記複数の映像表示装置のそれぞれが、
映像表示部と、
ネットワーク接続端子と、
映像を含むデータを供給するデータ供給部と、
前記ネットワーク接続端子に接続され、ネットワークを介する操作により設定および動作の管理を行うネットワーク操作管理部と、
前記ネットワーク接続端子および前記ネットワーク操作管理部に接続され、前記データ供給部からデータを出力して行うデータ再生に関する設定および動作を管理するデータ再生管理部と、
を有し、
前記処理部は、前記複数の映像表示装置の各ネットワーク操作管理部に対しネットワークを介する操作に基づくアクセスが可能であり、
前記該アクセスを受けたネットワークを介する操作管理装置は、当該アクセスにデータ再生指示が含まれるときは、前記データ再生管理部にデータ再生に関する管理を指示する
映像表示システム。
【発明の詳細な説明】
【技術分野】
【０００１】
本発明は、映像表示部を備える映像表示装置と、当該映像表示装置に着脱可能に設けられ、ネットワークを介する操作に基づく管理機能を上記映像表示装置に付加する機能追加デバイスと、映像表示システムとに関する。
【背景技術】
【０００２】
映像表示装置（以下、ディスプレイ装置という）の薄型化、軽量化が進み、近年、デパートや展示会場等で多数のディスプレイ装置を用いるパブリックディスプレイの用途が拡大している。
【０００３】
パブリックディスプレイの用途では、一度に大量のディスプレイ装置を使用するため、その用いる環境に応じて機能を限定し、一台のコストを抑えたいという要求がある。また、多数のディスプレイ装置を個別に操作、設定していたのでは不便である。
【０００４】
そこで、ネットワーク接続機能を備えるオプション部品を提供し、その部品を装着した多数のディスプレイ装置を、ＰＣ(Personal Computer)等の処理装置を用いて一括して遠隔操作することが行われている。
【０００５】
一般に、ディスプレイ装置が再生する映像や音声は、個々のディスプレイ装置に予め内蔵、または、外部から装着されるストレージデバイスから供給する場合と、ＰＣからネットワークを介して供給する場合がある。
【発明の開示】
【発明が解決しようとする課題】
【０００６】
ところが、ディスプレイ装置本体にストレージデバイス、たとえばＨＤＤ(Hard Disc Drive)等を内蔵する前者の場合、たとえば映像再生機器が既に存在し、単にモニタとして用いるような他の用途に転用すると、内蔵するストレージデバイスが無駄な部品となり、その分、割高になる。
【０００７】
一方、ネットワークを介して、映像ソースを専らＰＣ等の処理装置から供給する場合でも、ディスプレイ間で異なる映像を表示させたいときは、ＰＣからの映像データを一旦、ディスプレイ装置内に保持するストレージデバイスが必要となる。この場合も、上記と同様、単にモニタとして用いる用途に転用した場合に、内蔵するストレージデバイスが無駄な部品となり、その分、割高になる。
【０００８】
また、ストレージデバイスを用いないで、ＰＣ等の処理装置から同じ映像を多数のディスプレイ装置に供給する場合、処理装置やネットワーク上のトラブルが発生すると、映像表示が全てのディスプレイ装置で途絶える危険性が高い。
【０００９】
さらに、ＰＣ等の処理装置から映像を供給している間は、映像表示に関するネットワークを介する操作に基づく設定等を行うことができず、行えたとしても映像ソースの供給に支障をきたす可能性が高い。
【００１０】
本発明が解決しようとする第１の課題は、映像を含むデータ再生に支障をきたすことなく、ネットワークを介する操作に基づく設定等が容易な映像表示装置および映像表示システムを提供することである。
また、本発明が解決しようとする第２の課題は、映像表示装置本体のコストを抑え、かつ、広範な用途に対応可能な汎用性の高いものとしながら、上記第１の課題を解決するために、映像表示装置本体に着脱可能な機能追加デバイスを提供することである。
【課題を解決するための手段】
【００１１】
本発明に係る映像表示装置は、映像表示部と、ネットワーク接続端子と、映像を含むデータを供給するデータ供給部と、前記ネットワーク接続端子に接続され、ネットワークを介する操作により設定および動作の管理を行うネットワーク操作管理部と、前記ネットワーク接続端子および前記ネットワーク操作管理部に接続され、前記データ供給部からデータを出力して行うデータ再生に関する設定および動作を管理するデータ再生管理部とを有し、前記ネットワーク操作管理部に対しネットワークを介する操作に基づくアクセスが可能であり、当該アクセスにデータ再生指示が含まれるときは、前記ネットワーク操作管理部が前記データ再生管理部にデータ再生に関する管理を指示する。
本発明では好適に、前記ネットワークを介する操作に基づいて表示される設定および動作に関する管理画面が記憶されている管理記憶部が前記ネットワーク操作管理部に接続され、前記管理記憶部に記憶されている管理画面が階層化され、当該管理画面内で前記ネットワークを介して操作可能な画面に前記データ再生に関する項目を含む。
【００１２】
本発明では好適に、前記映像表示部の電源オン時に前記ネットワーク操作管理部および前記データ再生管理部に電源を供給し、前記映像表示部の電源オフ時に前記ネットワーク管理部に待機電源を供給する電源部をさらに有する。
本発明では好適に、前記ネットワーク接続前記映像表示部を備える装置本体と、当該装置本体に着脱可能な機能追加デバイスとを有し、前記ネットワーク接続端子、前記データ供給部、前記ネットワーク操作管理部および前記データ再生管理部が前記機能追加デバイスに設けられている。
本発明では好適に、前記映像を含むデータを格納しているストレージメディアが前記データ供給部に対し着脱可能になっている。
【００１３】
本発明に係る機能追加デバイスは、映像表示部を備える映像表示装置に着脱可能に設けられる機能追加デバイスであって、ネットワーク接続端子と、映像を含むデータを供給するデータ供給部と、前記ネットワーク接続端子に接続され、ネットワークを介する操作により設定および動作の管理を行うネットワーク操作管理部と、前記ネットワーク接続端子および前記ネットワーク操作管理部に接続され、前記データ供給部からデータを出力して行うデータ再生に関する設定および動作を管理するデータ再生管理部とを有し、前記ネットワーク操作管理部に対しネットワークを介する操作に基づくアクセスが可能であり、当該アクセスにデータ再生指示が含まれるときは、前記ネットワーク操作管理部は前記データ再生管理部にデータ再生に関する管理を指示する。
【００１４】
本発明に係る映像表示システムは、複数の映像表示装置と、当該複数の映像表示装置を、ネットワークを介して遠隔操作する処理装置とを備える映像表示システムであって、前記複数の映像表示装置のそれぞれが、映像表示部と、ネットワーク接続端子と、映像を含むデータを供給するデータ供給部と、前記ネットワーク接続端子に接続され、ネットワークを介する操作により設定および動作の管理を行うネットワーク操作管理部と、前記ネットワーク接続端子および前記ネットワーク操作管理部に接続され、前記データ供給部からデータを出力して行うデータ再生に関する設定および動作を管理するデータ再生管理部を有し、前記処理部は、前記複数の映像表示装置の各ネットワーク操作管理部に対しネットワークを介する操作に基づくアクセスが可能であり、前記該アクセスを受けたネットワークを介する操作管理装置は、当該アクセスにデータ再生指示が含まれるときは、前記データ再生管理部にデータ再生に関する管理を指示する。
【発明の効果】
【００１５】
本発明に係る映像表示装置および映像表示システムによれば、ネットワークのアクセスを受け付けるネットワーク操作管理部をデータ再生管理部とは別に有することから、データ再生に支障をきたすことなく、ネットワークを介する操作に基づく設定等が容易であるという利点がある。
また、本発明に係る機能追加デバイスによれば、映像表示装置本体のコストを抑え、かつ、広範な用途に対応可能な汎用性の高いものとしながら上記利点が得られる。
【発明を実施するための最良の形態】
【００１６】
以下、本発明の実施形態を、メモリカードをストレージメディアとして着脱可能に設けた機能追加デバイス（以下、オプションボードという）と、当該オプションボードを映像表示装置（ディスプレイ装置）に装着した場合を例として図面を参照して説明する。
【００１７】
＜構成＞
図１は、オプションボードを装着した状態のディスプレイ装置の主要構成を示すブロック図である。
ディスプレイ装置１の本体（機器本体）１Ａは、オプションボード２を装着するオプションスロット（不図示）を有し、当該オプションスロットにオプションボード２が装着されている。また、ディスプレイ装置１は、映像表示部３、表示制御用の第１制御部（Ｄ−ＣＰＵ）４、受光部５、操作部としてのリモートコントローラ（以下、「リモコン」と略称する）６および電源部７を備える。
【００１８】
映像表示部３は、たとえば液晶表示パネルと駆動回路を内蔵し、オプションボード２からの映像信号を、必要な処理（処理部は不図示）を経て入力し、当該映像信号に基づく映像（動画または静止画）を表示する。
【００１９】
電源部７は、機器本体１Ａの主電源スイッチの操作に応じてメイン電源を映像表示部３、および、その他の不図示の構成部に供給する。また、オプションボード２が接続されたことが検出された場合には、そのオプションスロットにオプション電源を供給する。オプション電源は、オプションボード２が抜き出されない限り、メイン電源と同様に、主電源スイッチで供給制御される。さらに、主電源スイッチがオフされたときも、スタンバイ電源をＤ−ＣＰＵ４およびオプションボード２の一部に供給する。
【００２０】
受光部５は、たとえば赤外光の受光デバイスを備え、その出力がＤ−ＣＰＵ４に接続されている。リモコン６は、たとえば赤外光により受光部５を解してＤ−ＣＰＵ４と通信する遠隔制御のための付属部品である。
【００２１】
Ｄ−ＣＰＵ４は、映像表示部３、電源部７、その他の画像表示に関する機器本体１Ａ内の構成部を制御する。
【００２２】
一方、本実施形態のオプションボード２は、ディスプレイ装置１にネットワーク通信機能と、データ格納部としてのストレージメディア、たとえばメモリカード（ＭＣ）の再生機能を追加するために、ユーザの要求に応じて選択される部品であり、ケースに収容されてオプションスロットに装着される。なお、オプションスロットを有しないで、機器本体１Ａ内のプリント基板にオプションボード２を差し込む構成でも構わない。
本例では、上記２つの機能を追加するためのオプションボード２を示すが、機器本体１Ａに設けられている不図示のビデオ入力コネクタの映像規格に応じた種類を増やす等の目的で、ユーザは任意の機能を有するオプションボードに変更が可能となっている。
【００２３】
上記ネットワーク通信機能の追加にともなって、オプションボード２は、インターネット等の広域ネットワークやローカルエリアネットワーク（ＬＡＮ）が接続されるネットワーク接続端子２Ａを備える。
また、ストレージメディアが着脱不可能な場合は不要であるが、着脱可能なメモリカード（ＭＣ）２０の場合は、そのスロット（不図示）を備える。
なお、ネットワークは無線通信により確立される構成でも構わない。
【００２４】
オプションボード２内に、ネットワーク操作管理部としての第２制御部（Ｃ−ＣＰＵ）２１、データ供給部としてのメモリカード（ＭＣ）２０の記録再生部２０Ａ、当該記録再生部２０Ａを制御するデータ再生管理部としてのＭ−ＣＰＵ２２、および、ネットワーク接続端子２Ａからの信号をＣ−ＣＰＵ２１とＭ−ＣＰＵ２２に分岐するためのハブＩＣ２３を備える。
メモリカード（ＭＣ）２０とＭ−ＣＰＵ２２は、たとえばＵＳＢ(Universal Serial Bus)により接続され、Ｃ−ＣＰＵ２１とＭ−ＣＰＵ２２とはシリアル通信線、たとえばＵＡＲＴ(Universal Asynchronous Receiver-Transmitter)仕様のライン（ＵＡＲＴ線）により接続されている。
Ｃ−ＣＰＵ２１とＤ−ＣＰＵ４は、１本のアラーム線４Ａと、たとえばＵＡＲＴ線からなる１組のシリアル通信線４Ｂとにより接続されている。
【００２５】
また、Ｃ−ＣＰＵ２１に、ネットワークのアクセス用ソフトウェア（ブラウザ）に適合した画面を有する管理画面が保持されている管理記憶部として、たとえば不揮発性メモリ（ＮＶＲＡＭ）２４が接続されている。
さらに、Ｍ−ＣＰＵ２２にＲＡＭ２５が接続されている。ＲＡＭ２５内に、映像表示部３の解像度情報やメモリカード（ＭＣ）２０内のコンテンツの再生手順等を示すリストが予め保存されている。
【００２６】
ネットワーク接続端子２Ａには、ハブ装置１００を介して処理装置、たとえばパーソナルコンピュータ（ＰＣ）２００が接続されている。
ディスプレイ装置１は、たとえばパブリックディスプレイの用途に好適に用いられる。この場合、複数のディスプレイ装置を、ハブ装置１００を介してＰＣ２００に接続し、ＰＣ２００によって当該複数のディスプレイ装置が遠隔操作される。
なお、ＰＣ２００と複数のディスプレイ装置１は、本発明が適用されている「映像表示システム」を構成する。
【００２７】
Ｃ−ＣＰＵ２１は、ネットワークを介する操作により設定および動作の管理を行う。ここで設定はＣ−ＣＰＵ２１自身の設定、Ｍ−ＣＰＵ２２の設定を含み、動作は主にＭ−ＣＰＵ２２の動作をいう。
また、Ｍ−ＣＰＵ２２は、データ供給部（記録再生部２０Ａ）からデータを出力して行うデータ再生に関する設定および動作を管理する。
【００２８】
つぎに、オプションボード２の詳細なハードウェア、ソフトウェアおよびデータ構造の構成を説明する。
図２は、この構成を、信号およびコンテンツデータの流れとともに例示する説明図である。
【００２９】
図２に示す例では、図１にない構成として、解像度変換部２６およびディスプレイ処理部２７が設けられている。これらは、高い処理速度が要求されるためハードウェアで実現されることが望ましい。
解像度変換部２６は、ビデオフィルタ(Video Filter、略称：ＶＦ)、あるいは、スケーラと称される場合がある。解像度変換部２６は、デコード後の動画データを元の解像度に適合した解像度にする、あるいは、動画または静止画データを映像表示部３に適合した解像度に変換するものである。
ディスプレイ処理部２７は、ディスプレイ表示のための処理を行う。この処理には、入力した映像データを動画または静止画に適した色空間に変更する処理、および、映像表示部３の解像度に適合した映像データの同期(Sync.)処理を含む。
【００３０】
Ｍ−ＣＰＵ２２内に、いわゆるデマクサ(demuxer)と称され、たとえばＭＰＥＧ(Motion Picture Experts Group)２仕様の再生ファイルからビデオ（Ｖ）とオーディオ（Ａ）のデータを分離するＶＡ分離手段２８、たとえばＭＰＥＧビデオファイル等の動画データをデコードする動画デコード手段２９、たとえばＪＰＥＧファイル等の静止画データをデコードする静止画デコード手段３０、および、再生制御手段３１が内蔵されている。
これらの手段２８〜３１を、図示例のように、Ｍ−ＣＰＵ２２内にインストールされている再生プログラムのタスク（ソフトウェアの一部）として設けることが望ましい。なお、Ｍ−ＣＰＵ２２を、これらのタスクを高速処理するために、ＤＳＰ(Digital Signal Processor)で構成することが望ましい。この場合でも、ＤＳＰ内には通常のＣＰＵと同様、命令を解読し、発信し、演算等を行うＣＰＵ機能がプリインストールされている。図１のＭ−ＣＰＵ２２は、そのＣＰＵの機能のみを示すものである。
【００３１】
Ｍ−ＣＰＵ２２にＲＡＭ２５が接続され、その中に、ディスプレイリスト２５Ａと、再生リスト２５Ｂとが保存されている。
ディスプレイリスト２５Ａには、映像表示部３の解像度情報が記述され、再生リスト２５Ｂには、再生が必要なコンテンツのリストデータと、その再生手順等が保持されている。このリストデータは、フォルダを上位、ファイルを下位とするツリー形式のデータ構造を有し、ファイル指定の場合は、１または複数のファイルのみが指定され、フォルダ指定の場合はフォルダ配下のコンテンツリスト（ファイルリスト）が指定される。
なお、ディスプレイリスト２５Ａの解像度情報は、たとえば主電源スイッチがオンされて当該ディスプレイ装置１が起動されるたびに確認され、常に現在接続されている映像表示部３に対応した内容に変更される。
また、再生リスト２５Ｂは、機器本体１Ａ側からのマニュアル設定でも設定変更が可能であるが、メモリカード（ＭＣ）２０内に保存され、それを挿入したとき等に、自動的にＮＶＲＡＭ２４に読み出すようにしてもよい。また、後述するダウンロードの場合も同様である。
【００３２】
＜特徴＞
つぎに、図１に示すディスプレイ装置１の特徴を概略的に述べる。
第１に、オプションボード２内に、いわゆるサーバ機能を有する制御部（管理部）として、２つのＣ−ＣＰＵ２１とＭ−ＣＰＵ２２が設けられている点である。
ここで「サーバ機能」とは、ネットワーク上で認識されるアドレス、たとえばＩＰ(Internet Protocol)アドレスを有することによってネットワークに接続されているコンピュータベースのハードウェアとして認識され、かつ、当該ネットワークを介した遠隔操作により、その操作が意図する処理または指示の伝達、実行を、自身または配下（管理対象）の構成部に対し行える機能をいう。また、サーバ機能を有すると、ネットワーク上の他のサーバにアクセスし、当該サーバを制御し、あるいは情報等を取得可能である。
【００３３】
第２に、Ｃ−ＣＰＵ２１に対し、たとえばＰＣ２００によるネットワークを介する操作に基づくアクセスが可能であり、当該アクセスにデータ再生指示が含まれるときは、Ｃ−ＣＰＵ２１がＭ−ＣＰＵ２２にデータ再生に関する管理を指示する。
つまり、アクセスの最初はＣ−ＣＰＵ２１が、これを受け付け、必要ならたとえばＭ−ＣＰＵ２２の管理に動作契機を与える。
このような、いわゆるディアルＣＰＵとした利点は後述する。
【００３４】
第３に、ＮＶＲＡＭ２４内に格納されている管理画面が階層構造を有し、少なくとも、映像表示部３の表示制御に関する管理画面と、データ再生に関する管理画面とが階層化によって統合されている。管理画面は、ＰＣ２００が有するブラウザの画面からネットワークを介してＣ−ＣＰＵ２１のＩＰアドレスを指定すると、Ｃ−ＣＰＵ２１がＮＶＲＡＭ２４から管理画面を読み出して送信し当該ＰＣ２００の画面に表示される。
【００３５】
図３に、管理画面の一例を示す。本例は、メモリカード（ＭＣ）２０等のストレージメディアにダウンロードしたコンテンツデータを保存するローカル保存の画面である。
管理画面は、ＰＣ２００が用いているブラウザにおいて、アイコン等の表示スペース間のウインドウに表示され、「お知らせ」、「構成」、「制御」、「プレイヤー」、「セットアップ」、「アップデート」、「再起動」を第１階層のメイン項目とし、その各メイン項目の配下に第２階層の複数のサブ項目を有する階層化構造を有する。図３の例では、「ストリーミング再生」、「ローカル保存」、「ローカル再生」、「ＰＣ実演」、「再生設定」がサブ項目となる。
図３において符号２０１の欄には、Ｃ−ＣＰＵ２１の管理下にあるＩＰアドレス、本例ではＭ−ＣＰＵ２２のＩＰアドレスが表示されている。符号２０３の欄にはローカルストレージ、本例ではメモリカード（ＭＣ）２０の識別名称が表示される。ローカルストレージが複数ある場合は、ブラウズ２０５を選択して一覧を表示可能である。符号２０２の欄には、選択されたローカルストレージ内の再生ファイル名または再生フォルダ名が表示される。再生ファイルまたは再生フォルダが複数ある場合は、ブラウズ２０４を選択して一覧を表示可能である。
その後、その設定された情報が保存キー２０６を選択することにより保存され、以後、当該ローカル再生画面を開くと、保存した設定情報が表示される。
【００３６】
なお、このような管理画面は、リモコン６等の操作部の操作に基づくアクセスによって、Ｄ−ＣＰＵ４およびＣ−ＣＰＵ２１を介して映像表示部３に表示させることも可能である。
【００３７】
第４に、Ｃ−ＣＰＵ２１と機器本体１Ａ内のＤ−ＣＰＵ４とが、１本の信号線４Ａ、たとえば装置の不具合等の発生を知らせるアラーム線と、１組の通信線、たとえばＵＡＲＴ線４Ｂとにより接続されている。
このＣＰＵ通信の動作と利点は、後述する。
【００３８】
第５に、オプションボード２内の構成のうち、Ｃ−ＣＰＵ２１およびハブＩＣ２３にスタンバイ電源が供給可能である。オプションボード２にオプション電源が供給されているときもＣ−ＣＰＵ２１やハブＩＣ２３はスタンバイ電源供給を受け、主電源スイッチがオンとなった場合に、電源部７からオプション電源がＭ−ＣＰＵ２２や記録再生部２０Ａ等に供給される。
このようにすることで、上記第２の特徴であるＣ−ＣＰＵ２１へのアクセスがディスプレイ装置１の電源オフ時にも行える。
【００３９】
第６に、メモリカード（ＭＣ）２０などのストレージメディアが内蔵または装着可能になっている。そして、当該ストレージメディア内の映像（および音声）のコンテンツデータをストリーミング再生するか、あるいは、当該メディアに記録し任意の時間に任意の回数出力を繰り返すデータ再生（ローカル再生）が可能である。ここで「ストリーミング再生」とは、ネットワークを経由してダウンロードしたコンテンツデータをストレージメディアに蓄積することなく（ダウンロード速度と再生速度の整合のために不図示のバッファ等に一時的に蓄積することはある）、映像表示部３等に表示させることである。
【００４０】
第７に、上記データ再生のためにストレージメディア（本例ではメモリカード（ＭＣ）２０）にデータを自動的にダウンロードする機能を有する。この動作はデータ再生が行われていない期間、たとえば電源オフ時に行うとよい。そのため前述した第３の特徴、すなわちＣ−ＣＰＵ２１にスタンバイ電源が供給されていることが必要となる。ダウンロードの対象および時間情報はＮＶＲＡＭ２４に格納され、それに基づいてＣ−ＣＰＵ２１が管理、実行する。
また、ダウンロードに続いて再生（ローカル再生）を行うダウンロード再生も可能である。
【００４１】
第８に、上記ストリーミング再生、ローカル再生あるいはダウンロード再生時に、高精細（再生）モードと、低精細（再生）モードとの２つの再生モードを有し、その選択設定が可能なことである。ここで「高精細モード」とは、記録再生部２０Ａから出力される静止画の解像度と動画の解像度を表示時にそれぞれ維持するように設定し、その結果、比較的高い解像度の静止画と低い解像度の動画が混在した場合に頻繁に解像度変換が行われる再生モードである。一方、「低精細モード」とは、静止画の解像度を動画レベルで再生するように設定し、静止画と動画が混在した場合に動画の解像度で一貫して再生するモードである。高精細モードはコンテンツが有する元の解像度での表示が可能であるが、解像度変換時に画面が一瞬途切れるブランキングが多発する。これに対し、低精細モードでは、ブランキングの発生頻度は少ないが、静止画が元の解像度より低い粗い画面となる。どちらを選ぶかはユーザの好みで、前述した管理画面から設定可能である。
【００４２】
以下、ディスプレイ装置の動作を、第１〜第８の特徴に関連する項目に分けて説明する。なお、第１、第２および第３の特徴は基本的な特徴なので他の特徴に関連する項目にて適宜、説明する。
【００４３】
＜ＩＰアドレスの設定＞
最初に、第４の特徴を利用したＩＰアドレスの設定方法について説明する。なお、この設定方法はＩＰアドレス設定以外にも適用可能である。
図４〜図８は、ＩＰアドレス設定時のアクティブ領域を示す説明図である。これらの図において動作に関係するアクティブな構成を斜線により示し、アクティブな配線を太線により示す。このことは、後述する他の説明図でも同様である。
【００４４】
ここでＩＰアドレスの設定は、機器本体１ＡのＯＳＤ（メニュー画面）上でユーザ操作に基づき開始され（図４）、Ｄ−ＣＰＵ４を介してＣ−ＣＰＵ２１に通知される（図５）。設定されたＩＰアドレスは、Ｃ−ＣＰＵ２１のＮＶＲＡＭ２４（図１参照）に保存されている管理画面に関連付けて格納される。具体的な設定方法としては、メニュー画面上で既定の範囲内でユーザが手動で設定する場合と、ネットワーク上の、たとえばＤＨＣＰ(Dynamic Host Configuration Protocol)サーバ等から自動取得する場合がある。
この何れかの方法で、Ｃ−ＣＰＵ２１のＩＰアドレスとＭ−ＣＰＵ２２のＩＰアドレスをそれぞれ設定する。
以下、Ｃ−ＣＰＵ２１のＩＰアドレス設定を例として動作を説明する。
【００４５】
手動設定時の場合、ユーザがメニュー画面を開き、ＩＰアドレス設定の項目で「手動」を選択する。選択により開いた画面でＣ−ＣＰＵ２１用のＩＰアドレスに未使用の数値の組み合わせを入力し、実行キーを押す。これにより、Ｄ−ＣＰＵ４に接続されているＲＡＭ（不図示）内に保存される。
【００４６】
Ｄ−ＣＰＵ４は、その処理負荷が大きいという理由から、処理負荷が比較的小さいときに設定したＩＰアドレスをＣ−ＣＰＵ２１に転送するための通知を開始する。この通知開始は、図５に示すように、Ｄ−ＣＰＵ４がアラーム線４Ａを介して通信契機信号Ｓ４をＣ−ＣＰＵ２１に送ることにより行われる。
通信契機信号Ｓ４を入力したＣ−ＣＰＵ２１は、通信内容をＤ−ＣＰＵ４に問い合わせ、それに応じてＤ−ＣＰＵ４が設定したＩＰアドレスをＣ−ＣＰＵ２１に通知する。Ｃ−ＣＰＵ２１は、通知されたＩＰアドレスをＮＶＲＡＭ２４内で管理画面に関連付けて格納する。
【００４７】
自動取得の場合、図４のＩＰアドレス設定に代えて、ユーザがメニュー画面で自動取得を選択すると、図６の問い合わせに応じて、Ｄ−ＣＰＵ４は自動取得が選択されたことをＣ−ＣＰＵ２１に通知する。この場合も、図５のようにＤ−ＣＰＵ４は処理負荷が比較的小さいときに通信契機信号Ｓ４を発信することで通知開始を始める。
Ｃ−ＣＰＵ２１は、自動取得が通知されると、図７に示すように、ネットワーク上のＤＨＣＰサーバ３００にアクセスし、ＩＰアドレスを自動取得する。取得したＩＰアドレスは、Ｃ−ＣＰＵ２１によってＮＶＲＡＭ２４内に管理画面に関連付けて格納される。
その後、図８に示すように、Ｃ−ＣＰＵ２１は、ＩＰアドレスの自動取得が完了したことを、シリアル通信線４Ｂを介してＤ−ＣＰＵ４に通知する。このときＤ−ＣＰＵ４が応答しないときは、Ｄ−ＣＰＵ４からの通信契機信号Ｓ４の受信を待って上記通知を行う。
【００４８】
＜ストリーミング再生＞
図９は、第６の特徴に関するストリーミング再生の説明図である。
ストリーミング再生の開始時は、とくに図示しないが、ＰＣ２００がＣ−ＣＰＵ２１に対しアクセスし、管理画面を取得する。そして、図３に示す管理画面上のプレイヤーのメイン項目を選択し、「ストリーミング再生」のサブ項目を選択する。とくに図示しないが、ストリーミング画面にはＭ−ＣＰＵ２２のＩＰアドレスが表示され、Ｍ−ＣＰＵ２２の支配下にあるストレージメディア内のファイル名またはフォルダ名、その検索キー（ブラウズ）、リピートのチェック欄、プレイキー、ストップキー、設定情報の保存キー等が配置されている。
ストリーミング再生が選択されると、Ｃ−ＣＰＵ２１がＭ−ＣＰＵ２２に管理を指示する。
その後、プレイキーが選択されると、図９に示すように、ＰＣ２００から再生コンテンツのデータがネットワークおよびハブＩＣ２３を経由してＭ−ＣＰＵ２２から機器本体１Ａにそのまま出力され、所定の処理を経て映像表示および音声出力が行われる。
【００４９】
＜ローカル再生＞
図１０は、第６の特徴に関するローカル再生の説明図である。
ローカル再生の開始は、図１のリモコン６による操作のほか、管理画面上の操作が可能である。図３に示す管理画面上のプレイヤーのメイン項目を選択し、「ローカル再生」のサブ項目を選択する。とくに図示しないが、ローカル再生画面には、再生対象のファイル名およびフォルダ名の表示欄と、そのブラウズキー、ならびに、ストリーミング再生画面と同様なリピートのチェック欄、プレイキー、ストップキー、設定情報の保存キー等が配置されている。
ローカル再生が選択されると、Ｃ−ＣＰＵ２１がＭ−ＣＰＵ２２に管理を指示する。
その後、プレイキーが選択されると、図１０に示すように、記録再生部２０Ａがメモリカード（ＭＣ）２０の再生を開始し、再生データがＭ−ＣＰＵ２２から機器本体１Ａに出力され、所定の処理を経て映像表示および音声出力が行われる。
【００５０】
＜ダウンロード再生＞
図１１は、第７の特徴に関するダウンロードおよびダウンロード再生の説明図である。また、図１２（Ａ）〜図１２（Ｄ）は、ダウンロードのスケジュール設定項目を示す図である。
ダウンロードのスケジュール設定は、図３の「再生設定」のサブ項目内の画面を利用して行う。スケジュール設定開始時は、とくに図示しないが、ＰＣ２００がＣ−ＣＰＵ２１に対しアクセスし、管理画面を取得する。そして、「プレイヤー」のメイン画面、その中の「再生設定」の画面を順次開くと、図１２（Ａ）に示す項目が表示される。「時間指定のダウンロード(scheduled download)」を行う場合は「Ｏｎ」を選択し、行わない場合は「Ｏｆｆ」を選択する。「Ｏｎ」を選択した場合、続けて、「曜日」の選択（図１２（Ｂ））、「時間」の選択（図１２（Ｃ））、「間隔」の選択（図１２（Ｄ））を行う。また、自動再生（ダウンロード再生）を行う場合は、その選択を「Ｏｎ」にする。全ての選択が終了すると、「適用」キーを操作する。
なお、静止画の再生の場合には、スライドショー、背景音楽、解像度設定等の項目も、この再生設定の画面で設定することができる。
【００５１】
上記「適用」キーを操作すると、そのダウンロードスケジュールの設定情報が、ＰＣ２００からネットワークおよびハブＩＣ２３を経由してＣ−ＣＰＵ２１に送られる。Ｃ−ＣＰＵ２１は、ダウンロードスケジュールの情報を、たとえば、図２に示すＮＶＲＡＭ２４内に保存する。
Ｃ−ＣＰＵ２１は、タイマを有するＤ−ＣＰＵ４に定期的に現在の日時、曜日、時刻を問い合わせている。これにより予定時刻になると、Ｃ−ＣＰＵ２１がＭ−ＣＰＵ２２にダウンロードの制御を指示し、Ｍ−ＣＰＵ２２の制御によって、図１１に示すようにダウンロードが開始され、ＰＣ２００内の指定されたコンテンツデータがネットワーク、ハブＩＣ２３、Ｍ−ＣＰＵ２２を経由して記録再生部２０Ａに送られ、メモリカード（ＭＣ）２０に書き込まれる（ローカル保存）。
【００５２】
「自動再生」がオンとなっているときは、書き込み終了後に、図１１に示すように、記録再生部２０Ａがメモリカード（ＭＣ）２０内のコンテンツデータを読み出し、再生データがＭ−ＣＰＵ２２から機器本体１Ａに出力され、所定の処理を経て映像表示および音声出力が行われる。この自動再生は、その日に再生すべきコンテンツデータを、たとえば朝の開始直前にダウンロードして起動後に繰り返し再生するような場合に便利である。
【００５３】
つぎに、第５の特徴である電源切り換えについて、ネットワーク操作に基づくローカル再生とダウンロードを例として説明する。このダウンロードは予め設定された日時、曜日および時刻に自動的に開始される。
【００５４】
＜ローカル再生時の電源切り換え＞
図１３は、スタンバイ時の説明図である。
主電源スイッチがオフされスタンバイ状態に移行すると、図１３に示すように、Ｄ−ＣＰＵ４の制御を受けた電源部７（図１参照）が、オプション電源をオフし、スタンバイ電源の供給を維持する。その後、電源部７はメイン電源もオフする。ただし、Ｄ−ＣＰＵ４にもスタンバイ電源の供給が行われている。
この状態で、図１３に示すように、ＰＣ２００からのアクセスがあると、ハブＩＣ２３を介してスタンバイ状態のＣ−ＣＰＵ２１が起動しアクセス内容に応じた制御を行う。これにより、ＰＣ２００は機器本体１Ａのメイン電源がオンしていないときも、管理画面を呼び出して所定の設定変更等が可能である。
【００５５】
図１４は、メイン電源オン後、ローカル再生開始を指示する時の説明図である。
Ｃ−ＣＰＵ２１は、ローカル再生の指示があったことをＤ−ＣＰＵ４に通知する。このときＤ−ＣＰＵ４はスタンバイ状態にあったので処理負荷は殆どなく、直ぐに応答が帰ってくる。この通知によりＤ−ＣＰＵ４が、電源部７および映像表示部３を含む機器本体１Ａを起動する。また、オプションボード２にオプション電源が供給され、オプションボード２内の全ての構成が起動可能な状態となる。
その間に、Ｃ−ＣＰＵ２１は、Ｍ−ＣＰＵ２２に対しローカル再生の制御を指示する。以後、ローカル再生の制御はＭ−ＣＰＵ２２によって行われる。
【００５６】
図１５は、ローカル再生時の説明図である。
既に説明したように管理画面のローカル再生のサブ項目画面において、再生対象のファイルまたはフォルダがＰＣ２００において選択されると、その情報（再生手順を含む）が、図１５に示すように、ネットワークおよびハブＩＣ２３を経由してＭ−ＣＰＵ２２に送られる。この情報はＣ−ＣＰＵ２１にも送られるが、既にローカル再生の制御をＭ−ＣＰＵ２２に指示したので、その制御に関してはＭ−ＣＰＵ２２に任せられている。
Ｍ−ＣＰＵ２２は、その情報をＲＡＭ２５内に保存し、それに則ってローカル再生を制御する。
その後、ＰＣ２００のローカル再生画面においてプレイキーが選択されると、その情報が同様にしてＭ−ＣＰＵ２２に伝えられ、図１５に示すように、記録再生部２０Ａがメモリカード（ＭＣ）２０の再生を開始し、再生データがＭ−ＣＰＵ２２から機器本体１Ａに出力され、所定の処理を経て映像表示および音声出力が行われる。
【００５７】
＜ダウンロード時の電源切り換え＞
図１６は、スタンバイ時の説明図である。スタンバイ時の電源供給は図１３の場合と同様であるが、スケジュールに基づくダウンロードであるため、ＰＣ２００からのアクセスは行われない。
Ｄ−ＣＰＵ４はタイマを有することから、Ｃ−ＣＰＵ２１と同様、スタンバイ電源の供給を受けている。このスタンバイ時にＣ−ＣＰＵ２１は、Ｄ−ＣＰＵ４に現在の日時を定期的に問い合わせ、スケジュールで決められたダウンロード日時に至ったかを監視している。
【００５８】
図１７は、ダウンロードの設定日時に適合時の説明図である。
Ｃ−ＣＰＵ２１によってダウンロードの設定日時になったことが検出されると、Ｃ−ＣＰＵ２１がＤ−ＣＰＵ４に対してパワーオン命令を発する。
Ｄ−ＣＰＵ４はパワーオン命令に応じて、電源部７および映像表示部３を含む機器本体１Ａを起動する。また、オプションボード２にオプション電源が供給され、オプションボード２内の全ての構成が起動可能な状態となる。
その間に、Ｃ−ＣＰＵ２１は、Ｍ−ＣＰＵ２２に対しダウンロードの制御を指示する。以後、ダウンロードの制御はＭ−ＣＰＵ２２によって行われる。
【００５９】
図１８は、ダウンロードの説明図である。
Ｍ−ＣＰＵ２２が、ＲＡＭ２５に保存されているダウンロード対象のファイルまたはフォルダ名を参照して、ネットワークを介してＰＣ２００にアクセスし、ＰＣ２００から所望のコンテンツデータがダウンロードされる。Ｍ−ＣＰＵ２２は、このコンテンツデータを起動状態の記録再生部２０Ａに送り、これが記録再生部２０Ａによってメモリカード（ＭＣ）２０に書き込まれる。
なお、自動再生が設定されている場合は、書き込み終了後にコンテンツデータをメモリカード（ＭＣ）２０から読み出してＭ−ＣＰＵ２２から出力する。コンテンツデータは、所定の処理を経て、映像表示および音声出力に供せられる。
【００６０】
図１９はダウンロードまたはダウンローダ再生の終了時、図２０はパワーオフ時の説明図である。
ダウンロード（またはダウンロード再生）が終了すると、図１９に示すように、Ｍ−ＣＰＵ２２がＣ−ＣＰＵ２１に対し終了報告を行う。
この報告を受けて、図２０に示すように、Ｃ−ＣＰＵ２１がＤ−ＣＰＵ４にパワーオフ命令を発する。
すると、Ｄ−ＣＰＵ４の制御によって電源部７がオプション電源をオフし、続いてメイン電源もオフする。これにより映像表示部３を含む機器本体１Ａの電源供給が停止される。ただし、Ｄ−ＣＰＵ４、Ｃ−ＣＰＵ２１およびハブＩＣ２３に供給しているスタンバイ電源は維持する。
【００６１】
＜モード切り替え＞
前述したように本例のディスプレイ装置１はデータ再生の態様として、ローカル再生、ストリーミング再生、ダウンロード再生、および、リモコン操作に応じて通常再生の４種類がある。
この何れの再生でも、動画と静止画の本来の解像度で再生するため解像度変換が適宜行われる「高精細モード」と、動画の解像度で静止画も出力する「低精細モード」との切り替えが可能である。
「高精細モード」では、動画は本来の低解像度で静止画は本来の高解像度で表示させることから、解像度変換は行われない。一方、「低精細モード」では、動画は本来の低解像度で、静止画は本来高解像度であるが、画素単位でデータを間引いてデータサイズを縮小し動画の解像度に変換する。このとき、画素が正方画素でない場合は水平と垂直のサイズを同等とすることはできず、その画素の縦横比に応じた倍率の変換（縮小）となる。
【００６２】
このモード切り替えは、図３に示す管理図面の「制御」を選択し、表示される制御画面内の「ピクチャーモード」で変更が可能である。なお、この制御画面には、コントラスト等の画質調整項目も配置され、細かな画質調整がＰＣ２００からの遠隔操作で実行可能となっている。
【００６３】
モード切り替えに先立ち、その処理に必要となる映像表示部３の解像度情報の取得について説明する。
図２１は、解像度情報の取得の説明図である。
この解像度情報の取得は、メイン電源がオン時に行われる。メイン電源の起動は、スタンバイ時にネットワークを介したアクセスに基づいて行われる場合と、機器本体１Ａまたはリモコン６の電源キー操作に基づいて行われる場合がある。前者の場合はＣ−ＣＰＵ２１により起動契機が与えられ、後者の場合はＤ−ＣＰＵ４により起動が制御される。
ネットワークを介した起動の場合、Ｃ−ＣＰＵ２１からＤ−ＣＰＵ４に解像度情報の通知依頼が発せられ、それに応答してＤ−ＣＰＵ４が映像表示部３の解像度情報をＣ−ＣＰＵ２１に通知する。Ｃ−ＣＰＵ２１は、通知された解像度情報をＭ−ＣＰＵ２２に与え、Ｍ−ＣＰＵ２２がＲＡＭ２５内のディスプレイリスト２５Ａに保存する。
電源キー操作に基づく起動の場合、オプション電源の供給を検出したＣ−ＣＰＵ２１が上記通知依頼を発して解像度情報をＤ−ＣＰＵ４から取得し、同様に、ディスプレイリスト２５Ａに保存する。なお、電源キー操作に基づく場合、電源起動後にＤ−ＣＰＵ４からＣ−ＣＰＵ２１に解像度情報を一方的に通知してもよい。
解像度情報は機器本体１Ａの種類によって違うため、上記何れの場合でも電源起動ごとに確認して、変更があればディスプレイリスト２５Ａを書き換えることが望ましい。
【００６４】
図２２は、動画および静止画を低精細モード再生する場合の処理フロー図である。図２２の最上部に図２に示す各部または手段等を符号にて示す。
以下、図２を適宜参照しつつ図２２の処理を説明する。なお、制御の命令出力とタイミング制御は図２では図示を省略したＣＰＵ機能部（または再生制御手段３１）により行われる。なお、以下の説明では、動画圧縮がＭＰＥＧ２によってなされている場合を例示するが、動画圧縮はこれに限定されない。
【００６５】
最初に図２２の上段部に示すフローに沿って低精細モードの動画再生を説明する。
ＭＰＥＧ２の再生リクエストが発せられると（ステップＳＴ１）、ＲＡＭ２５内の再生リスト(Play list)２５Ｂが、再生制御手段(Play Ctrl)３１によって読み出される。
映像表示部３は、現在のモードを判定する（ステップＳＴ２）。現在のモードは、たとえばディスプレイリスト（以下、ＤＬと略記する）２５Ａ内のフラグ等に設定されている。初期設定では「低精細モード（以下、ＬＭと略記する）」であるが、再生の途中では、それ以前の処理で「高精細モード（以下、ＨＭと略記する）」とフラグが反転している場合もあるため、ここでモード判定が必要となる。
【００６６】
当該動画再生の前に高精細モード（ＨＭ）設定となっている場合は、再生制御手段３１が、解像度変換部（Video Filter、以下、ＶＦと略記する）２６の変換すべき解像度を「４８０ｐ」または「５７６ｐ」の低精細モード（ＬＭ）対応に設定する（ステップＳＴ３）。この何れに設定するかは映像信号規格に応じて決められている。また、再生制御手段３１は、ディスプレイ処理部２７内の設定をＭＰＥＧ２用色空間に設定し、ディスプレイリスト２５ＡのＤＬ設定を低精細モード（ＬＭ）対応に設定する（ステップＳＴ４）。これによりモード切り替えに対応した設定が行われる。
なお、このステップＳＴ３およびＳＴ４は、当該動画再生の前に低精細モード（ＬＭ）に対応した設定となっている場合はスキップされる。
【００６７】
ステップＳＴ５にて、図２の記録再生部２０Ａにてファイルデータの読み込みが実行される（File Read）。
読み込まれたフォイルデータを、パケット単位でＶＡ分離手段（以下、デマクサ(Demuxer)と称する）２８に送信し（ステップＳＴ６）、そこで音声データと映像データがパケット単位で分離される（ステップＳＴ７）。このうち音声データパケットは不図示の音声デコーダに送られ、処理後に不図示のスピーカに出力される。
【００６８】
一方、映像データパケットは、動画デコード手段（Video Dec）２９に送られ、そこでデコードされた後（ステップＳＴ８）、さらに解像度変換部（Video Filter）２６に送られる（ステップＳＴ９）。このとき動画デコード手段２９内でパケットキューに登録して割り込み待ちとし、登録が完了したものから先読み先出し（ＦＩＦＯ）で送信する。
【００６９】
解像度変換部２６では、送信されてきた動画のデータパケットを、再生制御手段３１が行ったディスプレイリスト（ＤＬ）設定が示す水平および垂直の解像度に応じたサイズにリサイズし、その後、ディスプレイ処理部２７に送信する（ステップＳＴ１０）。
その後、動画のデータパケットは、ＭＰＥＧ２の色空間設定等のディスプレイ処理後に、パケットキューに基づいて並べ替えられ、映像表示部３に出力される。
上記ステップＳＴ５以降の処理は、ＭＰＥＧ２再生終了まで繰り返され、これによって、動画が映像表示部３に表示される。
【００７０】
図２２の下段に示す静止画の低精細モード再生において、ステップＳＴ１およびＳＴ２は、動画の場合と同じである。
つぎに、ステップＳＴ１１（動画の場合の前記ステップＳＴ３に対応）が実行されるが、ここでは、動画の場合と逆に、当該静止画再生の前に、解像度変換部（ＶＦ）２６が変換すべき解像度（ＶＦ設定）が「４８０ｐ」または「５７６ｐ」の低精細モード（ＬＭ）対応の場合のみ、このＶＦ設定を高精細モード（ＨＭ）対応に変更する。
つぎのステップＳＴ１２では、再生制御手段３１が、ディスプレイ処理部２７内の設定をＪＰＥＧ用色空間に設定し、ディスプレイリスト２５ＡのＤＬ設定を低精細モード（ＬＭ）対応に設定する。これによりモード切り替えに対応した設定が行われる。
なお、このステップＳＴ１１およびＳＴ１２は、当該静止画再生の前に低精細モード（ＬＭ）に対応した設定となっている場合はスキップされる。
【００７１】
動画の場合と同様にファイルを読み込んだ後（ステップＳＴ５）、読み込んだ静止画データを静止画デコード手段(JPEG Dec)３０に送る。このとき静止画の場合、通常音声データはないことからデマクサによる処理がスキップされる。
通常、デコーダはデコード用画像サイズが固定されているため、読み込んだデータの画像サイズがデコード用画像サイズに適合しない場合は、適合可能に読み込んだデータの画像サイズを縮小する（ステップＳＴ１３）。たとえば、デコード用画像サイズがＷＸＧＡ固定の場合、もとの画像サイズに対応して縮小倍率が、１／２、１／４、１／８の３種類用意されている。
静止画デコード手段３０にてデコードした後（ステップＳＴ１４）、デコード後の静止画データパケットが、動画の場合と同様にパケットキュー登録を済ませてから解像度変換部（Video Filter）２６に送信される（ステップＳＴ９）。
上記ステップＳＴ５、ＳＴ１３およびＳＴ１４の処理は、デコード終了まで繰り返される。
【００７２】
解像度変換部２６では、静止画を動画のサイズに適合するように画像サイズの縮小が行われ、処理後の静止画データパケットがディスプレイ処理部２７に送られる（ステップＳＴ１５）。この画素数変換処理では、映像表示部３の画素が正方でない場合、縦横で縮小倍率を変える必要がある。また、「４８０ｐ」と「５７６ｐ」を同一サイズに揃える必要がある。たとえば、画素サイズの縦と横の比が２７：３２の場合、「４８０ｐ」ならば幅を（２７／３２）倍、「５７６ｐ」ならば幅を（２７／３２×５／６）倍になるように解像度を変換する。
その後、静止画のデータパケットは、ＪＰＥＧの色空間設定等のディスプレイ処理後に、パケットキューに基づいて並べ替えられ、映像表示部３に出力される。
【００７３】
図２３に、動画および静止画を高精細モード再生する場合の処理フロー図を示す。
この図２３の高精細モード再生が図２２の低精細モード再生と異なる点は、静止画再生の場合に、ディスプレイリスト（ＤＬ）の設定を低精細モード（ＬＭ）ではなく、高精細モード（ＨＭ）対応に設定すること（ステップＳＴ２０）と、解像度変換時に、静止画サイズを動画仕様の「４８０ｐ」または「５７６ｐ」に適合させるサイズ縮小は行わないで、単に、映像表示部３の解像度に適合させるためにディスプレイリスト（ＤＬ）に設定されている高精細モード（ＨＭ）対応のサイズに変換すること（ステップＳＴ２１）である。なお、ステップＳＴ２１において、ＤＬ対応の画像サイズ変換は、必要な場合にのみ行われる。
【００７４】
その他のステップは低精細モード再生時と同じであることから、ここでの説明を書略する。
【００７５】
本実施形態によれば、以下の利益が得られる。
図１に示すように、ネットワーク操作管理部としてのＣ−ＣＰＵ２１と、データ再生管理部としてのＭ−ＣＰＵ２２とが各々サーバ機能を有し、ＩＰアドレスが別々に割り当てられている。また、ネットワークによるアクセスをＣ−ＣＰＵ２１が受け付けるようにしている。そのため、Ｍ−ＣＰＵ２２はデータ再生に関する管理、制御に専念でき、データ再生に支障をきたすことなく、Ｃ−ＣＰＵ２１に対しネットワークを介した操作に基づく設定が何時でも行える。
【００７６】
また、Ｃ−ＣＰＵ２１に接続されている管理記憶部としてのＮＶＲＡＭ２４内に、階層構造を有する管理画面が格納されている。この管理画面は通常のブラウザと同様な表示画面形式を有している。
このため、許可されたものであればネットワークを介して当該管理画面にアクセスできる。つまり、アクセスが許可された処理装置としてのＰＣ２００に対しては、管理画面をネットワークに開放し、ＰＣ２００は自身の表示画面に管理画面を表示できる。そのとき管理画面がブラウザと同様な表示画面形式を採ることから、操作に手間取ることがなく、違和感もなく快適に管理画面の設定変更が可能である。
【００７７】
とくに、上記ネットワークが、インターネットと異なるローカルエリアネットワーク（ＬＡＮ）である場合、ダウンロード時にインターネットへのアクセス（ウェブアクセス）を必要としないで、ダウンロード設定を上記ＬＡＮ上で行うことができる。
このとき、上述したようにダウンロードのコンテンツを保持するＰＣ２００がＬＡＮ上に接続されていれば、当該ＰＣ２００からのアクセスまたはＯＳＤ（メニュー画面）からのアクセス等に応じて、Ｃ−ＣＰＵ２１がＬＡＮ上に、たとえばＨＴＭＬ(Hyper Text Markup Language)に対応した管理画面を開放する。したがって、当該ＬＡＮにインターネットが接続されているかを問わず、かつ、インターネット上のダウンロード用ウェブサーバを必要とせずに、インターネットからのダウンロードと同様な操作性のダウンロードが可能である。また、このときウェブ表示用の専用ソフトウェアを必要としない。
【００７８】
また、管理画面はネットワーク操作管理部（Ｃ−ＣＰＵ２１）のＩＰアドレスでアクセスするのであるが、管理画面内にデータ再生管理部（Ｍ−ＣＰＵ２２）のＩＰアドレスが埋め込まれ、任意の操作によって保存されている。このため、ＰＣ２００がデータ再生時にＭ−ＣＰＵ２２に対しアクセスする場合でも、そのＩＰアドレスを入力する手間が不要である。
管理画面には、その他、ダウンロードスケジュール、再生スケジュール、メモリカード（ＭＣ）２０等のストレージメディアの再生、再生対象の特定、自動再生の選択等に関する必要な管理項目が一元化され、それらの設定変更が容易である。
管理画面は、第１制御部としてのディスプレイ用のＣＰＵ（Ｄ−ＣＰＵ４）を介して映像表示部３に表示させることも可能である。
【００７９】
Ｄ−ＣＰＵ４とＣ−ＣＰＵ２１との通信が、１本の信号線（アラーム線４Ａ）と１本のシリアル通信線４Ｂとで可能であり、接続が簡素である。また、Ｄ−ＣＰＵ４の処理負担が比較的小さいときのみＣ−ＣＰＵ２１に通信契機を与えることで、Ｄ−ＣＰＵ４の処理に支障をきたすことがない通信が可能である。Ｃ−ＣＰＵ２１がＤ−ＣＰＵ４と通信するのは設定に関する内容であるため緊急性を要しないことから、このような方法で十分である。
【００８０】
Ｃ−ＣＰＵ２１にはメイン電源オフ時にも起動可能なスタンバイ電源が常時供給され、ネットワークを介する操作に基づくアクセスが常時可能である。このことは、データ再生を行っていない夜間やディスプレイの非使用時にも次の再生に備えて各種設定やダウンロードができる点で重要である。
【００８１】
データ再生には、ネットワークからダウンロードしたデータをほぼリアルタイムで再生するストリーミング再生、ダウンロードしたデータを一旦保存して再生するダウンロード再生、通常の再生（ローカル再生）等、再生モードが多様で、様々な状況に応じたデータ再生が可能である。
【００８２】
これらの再生時に、動画と静止画をそれぞれ本来の解像度で再生する高精細（再生）モードと、静止画の解像度を動画レベルに変換して再生する低精細（再生）モードとを有し、その選択設定が管理画面上で可能である。このため、ユーザの好みに応じて、解像度切り替えがブランキング期間で処理できず画面が一瞬途切れるブランキング発生確率が高いが高精細としたいか、あるいは、低精細でもブランキング防止を重視したいかに応じたモード選択が可能である。
とくに、パブリックディスプレイを行うデパートなどの例では、たとえば、商品の静止画を綺麗に見せたいときは高精細モードを、店のコマーシャルなど動画を主体としたコンテンツの場合は低精細モードを選択でき、コンテンツに合わせた最適表示が可能となる。
【００８３】
また、以上のネットワーク接続とデータ再生の機能は、オプション部品として提供されているため、ディスプレイ装置の本体を低コスト化でき、広範な用途に対応可能で汎用性が高く無駄がない商品提供が可能である。
【００８４】
また、２つの管理部（ネットワーク操作管理部とデータ再生管理部）とを機能追加デバイス内に設けていることから、開発においても、装置本体や他の機能追加デバイスの開発資産に、あらたな開発部分を追加するかたちで作業ができ、また、共通するハードウェアやソフトウェアを重複して移植する作業工程が発生せず、開発が容易であるという利益が得られる。
【図面の簡単な説明】
【００８５】
【図１】実施形態のディスプレイ装置の主要構成を示すブロック図である。
【図２】実施形態のオプションボードの構成図である。
【図３】管理画面例を示す図である。
【図４】ＯＳＤ上でのＩＰアドレス設定の説明図である。
【図５】ＩＰアドレスの通知開始の説明図である。
【図６】問い合わせに応じたＩＰアドレス通知の説明図である。
【図７】ＩＰアドレスの自動取得の説明図である。
【図８】自動取得完了の説明図である。
【図９】ストリーミング再生の説明図である。
【図１０】ダウンロード（再生）の説明図である。
【図１１】ローカル再生の説明図である。
【図１２】（Ａ）〜（Ｄ）は、ダウンロードのスケジュール設定項目を示す図である。
【図１３】スタンバイの説明図である。
【図１４】ローカル再生の開始指示の説明図である。
【図１５】ローカル再生の説明図である。
【図１６】スタンバイの説明図である。
【図１７】ダウンロードの設定日時に適合した時の説明図である。
【図１８】ダウンロード（再生）の説明図である。
【図１９】ダウンロード（再生）終了時の説明図である。
【図２０】パワーオフの説明図である。
【図２１】解像度情報取得の説明図である。
【図２２】低精細モード再生の処理フロー図である。
【図２３】高精細モード再生の処理フロー図である。
【符号の説明】
【００８６】
１…ディスプレイ装置、１Ａ…機器本体、２…オプションボード、２Ａ…ネットワーク接続端子、３…映像表示部、４…Ｄ−ＣＰＵ、４Ａ…アラーム線、４Ｂ…シリアル通信線、６…リモコン、７…電源部、２０…メモリカード（ＭＣ）、２０Ａ…記録再生部、２１…Ｃ−ＣＰＵ、２２…Ｍ−ＣＰＵ、２３…ハブＩＣ、２４…ＮＶＲＡＭ、２５…ＲＡＭ、２５Ａ…ディスプレイリスト、２５Ｂ…再生リスト、２６…解像度変換部、２７…ディスプレイ処理部、２８…ＶＡ分離手段、２９…動画デコード手段、３０…静止画デコード手段、３１…再生制御手段、２００…ＰＣ
【図１】
2007104100.tif 000003
【図２】
2007104100.tif 000004
【図３】
2007104100.tif 000005
【図４】
2007104100.tif 000006
【図５】
2007104100.tif 000007
【図６】
2007104100.tif 000008
【図７】
2007104100.tif 000009
【図８】
2007104100.tif 000010
【図９】
2007104100.tif 000011
【図１０】
2007104100.tif 000012
【図１１】
2007104100.tif 000013
【図１２】
2007104100.tif 000014
【図１３】
2007104100.tif 000015
【図１４】
2007104100.tif 000016
【図１５】
2007104100.tif 000017
【図１６】
2007104100.tif 000018
【図１７】
2007104100.tif 000019
【図１８】
2007104100.tif 000020
【図１９】
2007104100.tif 000021
【図２０】
2007104100.tif 000022
【図２１】
2007104100.tif 000023
【図２２】
2007104100.tif 000024
【図２３】
2007104100.tif 000025